(57)【要約】【課題】外気の温度変化の影響を軽減して、安定した傾き検知が行え、且つ、移動体の衝突音の発生を抑えられた傾斜センサを提供する。【解決手段】基部１１、及び基部１１より少なくとも一方向へ延設された延設部１２からなる中空状のケース本体１と、ケース本体１内に収納され、ケース本体１が所定の角度以上傾いた場合に、基部１１から延設部１２へ変位する金属製の移動体２と、延設部１２に巻回されるコイル３とを備え、前記ケース本体１は、内部の空気の密度が外気の空気の密度に比べて低く保たれている。【選択図】図１
2010192324.tif 000002
【特許請求の範囲】
【請求項１】
基部、及び基部より少なくとも一方向へ延設された延設部からなる中空状のケース本体と、
ケース本体内に収納され、ケース本体が所定の角度以上傾いた場合に、基部から延設部へ変位する金属製の移動体と、
延設部に巻回されるコイルとを備え、
前記ケース本体は、内部の空気の密度が外気の空気の密度に比べて低く保たれていることを特徴とする傾斜センサ。
【請求項２】
前記ケース本体は、内部が略真空に保たれていることを特徴とする請求項１記載の傾斜センサ。
【請求項３】
前記ケース本体は、先端に空気抜き穴が形成された空気抜き部を有することを特徴とする請求項１または２記載の傾斜センサ。
【請求項４】
前記空気抜き部は、ケース本体外部からケース本体内部へ空気が流入することを防止するための弁が設けられていることを特徴とする請求項３記載の傾斜センサ。
【請求項５】
前記空気抜き穴は、ケース本体内部の空気が所定量抜かれた後に、溶着により塞がれることを特徴とする請求項３または４いずれか記載の傾斜センサ。
【発明の詳細な説明】
【技術分野】
【０００１】
本発明は、傾斜センサに関するものである。
【背景技術】
【０００２】
従来から、二輪自動車転倒検知用等に用いられ、検知対象物の傾き及び転倒を検知する傾斜センサＢとして、図３に示すような、ケース本体１と、移動体２と、コイル３とを備えたものが提供されている（例えば特許文献１参照）。なお、以下図３における上下左右を基準として説明を行う。
【０００３】
ケース本体１は、左右方向に長い略円筒状の基部１１、及び当該基部１１の左右両端から各々左右上方へ延設されて先端が閉塞した一対の円筒状の延設部１２から構成される。ここで、基部１１は、ケース本体１が対象物に取り付けられる際に、略水平となるように設けられ、延設部１２は、水平に対して所定の角度θ１（例えばθ１＝５５度）の傾きを持って形成されている。また、ケース本体１内部の空気の密度は、ケース本体１外部の空気の密度と略等しく保たれている。更に、ケース本体１の周縁部には、対象物に取り付けられる際に用いられるねじ孔１ａが穿設されている。
【０００４】
移動体２は、金属から略球状に形成されてケース本体１内に変位可能に収納され、ケース本体１が、５５度以上左右方向へ傾いた場合に、基部１１から延設部１２へ変位する。
【０００５】
コイル３は、延設部１２に巻回され、コイル３にかかる電圧の変化を検出する図示しない検知回路に電気的に接続されている。ここで、コイル３のインピーダンスＺは、コイル３に接続される定電流源の角周波数をω、コイル３のインダクタンスをＬとした場合に、Ｚ＝ｊωＬで表される。そして、コイル３の巻き数をｎ、コイル３の断面積をＳ、コイル３の長さをｄ、透磁率をμとした場合、一般的にインダクタンスＬは、Ｌ＝（μｎ２Ｓ）／ｄで表される。従って、コイル３のインピーダンスＺは、Ｚ＝ｊωＬ＝ｊω（μｎ２Ｓ）／ｄ（式１）となる。
【０００６】
そのため、移動体２がケース本体１の基部１１内に存在する場合のコイル３のインピーダンスＺは、透磁率μ＝μ０（μ０は、空気中の透磁率）とすると、上記式１より、Ｚ＝ｊω（μ０ｎ２Ｓ）／ｄとなる。
【０００７】
検知回路は、シュミット回路等のヒステリシス特性を備える回路から構成され、定電流源にコイル３を接続し、当該コイル３に発生する電圧と、閾値電圧とを比較して、比較結果に応じてＨｉｇｈの出力信号（Ｖ１）または、Ｌｏｗの出力信号（Ｖ２）を出力する。
【０００８】
上記構成からなる傾斜センサＢは、図４に示すように、検知対象物が、左右方向へ傾いた場合に、移動体２がケース本体１内において、基部１１から延設部１２側へ変位する。その際、空気よりもはるかに大きな透磁率を持つ金属製の移動体２が、延設部１２に変位することで、上記式１の透磁率μがμ０よりも増大し、延設部１２に巻回するコイル３のインダクタンスＬが大きくなる。そのため、コイル３のインピーンダンスＺも上昇し、それに伴ってコイル３に発生する電圧が上昇する。そして、対象物の傾きがθ１以上となり、コイル３に発生する電圧が検知回路の閾値電圧を上回ると、対象物の傾きを検知して、図５の実線に示す通り、検知回路の出力がＶ１からＶ２に切り替わる。
【０００９】
また、検知対象物が、θ１以上傾いた状態から、水平状態に復帰する際には、移動体２がケース本体２内において、延設部１２から基部１１側へ変位する。その際、移動体２が基部１１に変位するに従って、延設部１２に巻回するコイル３のインピーダンスが減少し、それに伴ってコイル３に発生する電圧が低下する。ここで、検知回路は、ヒステリシス特性を持つことから、対象物の傾きがθ１よりも小さなθ２（例えばθ２＝５２度）となりコイル３に発生する電圧が閾値電圧を下回ると、対象物が水平方向にあることを検知して、図５の破線で示す通り、検知回路の出力がＶ２からＶ１に切り替わる。
【先行技術文献】
【特許文献】
【００１０】
【特許文献１】特開２００６―１０５７６３号公報
【発明の概要】
【発明が解決しようとする課題】
【００１１】
しかしながら、ケース本体１内部には、外気と略等しい密度の空気が存在するため、外気の温度が変化すると、それに伴ってケース本体１内部の空気の温度も変化する。そのため、外気の温度が大きく変化した場合には、ケース本体１内部の空気の温度も大きく変化することで、移動体２が膨張または伸縮を起こしたり、ケース本体１が歪んでしまい、対象物がθ１以上傾いた場合、若しくは、対象物の傾きがθ２以下となった場合に、移動体２が基部１１から延設部１２側、若しくは、延設部１２から基部１１側へスムーズに変位せず、変位の途中で引っ掛かったり、変位に時間がかかる等の不具合を起こし、傾斜センサＢが正常に動作しない虞がある。
【００１２】
また、上記従来例に示す傾斜センサＢは、ケース本体１内外の空気の密度が略等しいため、ケース本体１外部の空気の温度が変化すると、それに伴ってケース本体１内部の空気の温度も略同様に変化する。その際、ケース本体１内部の温度変化に伴って移動体２の温度が変化し、その影響で移動体２の透磁率μが変化する。
【００１３】
従って、コイル３のインピーダンスＺは、外気の温度変化に起因する移動体２の透磁率μの変化の影響を受けることから、移動体２の温度変化に合わせて温度補正を行わなければ、コイル３のインピーダンスに誤差が生じ、それに伴ってコイル３に発生する電圧にも誤差が生じることで、傾斜センサＢが誤検知する虞がある。
【００１４】
更に、ケース本体１内部には、ケース本体１外部と略等しい密度の空気が存在するため、ケース本体１内を移動体２が移動（変位）して、ケース本体１の内壁に移動体２が衝突する際に発生する衝突音が、ケース本体１内部の空気を伝わってケース本体１全体から放射される。
【００１５】
本発明は、上記事由に鑑みてなされたものであり、その目的は、外気の温度変化の影響を軽減して、安定した傾き検知が行え、且つ、移動体の衝突音の発生を抑制した傾斜センサを提供することにある。
【課題を解決するための手段】
【００１６】
請求項１の発明は、基部、及び基部より少なくとも一方向へ延設された延設部からなる中空状のケース本体と、ケース本体内に収納され、ケース本体が所定の角度以上傾いた場合に、基部から延設部へ変位する金属製の移動体と、延設部に巻回されるコイルとを備え、前記ケース本体は、内部の空気の密度が外気の空気の密度に比べて低く保たれていることを特徴とする。
【００１７】
この発明によれば、外気の温度変化の影響を軽減して、安定した傾き検知が行え、且つ、移動体の衝突音の抑制を行うことができる。
【００１８】
請求項２の発明は、請求項１記載の発明において、前記ケース本体は、内部が略真空に保たれていることを特徴とする。
【００１９】
この発明によれば、外気の温度変化の影響をより軽減して、更に安定した傾き検知が行え、且つ、衝突音の発生がより抑えられる。
【００２０】
請求項３の発明は、請求項１または２記載の発明において、前記ケース本体は、先端に空気抜き穴が形成された空気抜き部を有することを特徴とする。
【００２１】
この発明によれば、ケース本体内の空気を容易に抜くことができ、生産性の向上を図ることができる。
【００２２】
請求項４の発明は、請求項３記載の発明において、前記空気抜き部は、ケース本体外部からケース本体内部へ空気が流入することを防止するための弁が設けられていることを特徴とする。
【００２３】
この発明によれば、ケース本体内部の空気を抜いている時または抜いた後に、ケース本体外部の空気が逆流してケース本体内部に流入することを容易に防止することができる。
【００２４】
請求項５の発明は、請求項３または４記載の発明において、前記空気抜き穴は、ケース本体内部の空気が所定量抜かれた後に、溶着により塞がれることを特徴とする。
【００２５】
この発明によれば、ケース本体内部の空気を所定量抜いた後に、空気が逆流してケース本体内部に流入することを確実に防止することができる。
【発明の効果】
【００２６】
以上説明したように、本発明では、外気の温度変化の影響を軽減して、安定した傾き検知が行え、且つ、移動体の衝突音の発生を抑制した傾斜センサを提供することができるという効果がある。
【図面の簡単な説明】
【００２７】
【図１】本発明の実施形態における傾斜センサの概略断面図を示す。
【図２】同上における傾斜センサの要部拡大図を示す。
【図３】従来例における傾斜センサの概略断面図を示す。
【図４】同上における傾斜センサが傾いた際の概略断面図を示す。
【図５】同上における傾斜センサの傾斜角度に対する出力波形を示す。
【発明を実施するための形態】
【００２８】
以下、本発明の実施の形態を図面に基づいて説明する。
【００２９】
（実施形態）
本実施形態における傾斜センサＡと、図３で示した従来例における傾斜センサＢとで異なる点は、図１に示すように、傾斜センサＡのケース本体１には、ケース本体１内部の空気を抜くための空気抜き部４が設けられており、且つ、ケース本体１内部が略真空に保たれている点である。ここで、ケース本体内部の真空度は、０．０１〜０．００１Ｐａ程度であるものとする。なお、その他の構成については、図３に示す従来例の傾斜センサＢと同様であるため、同様の符号を付して説明を省略する。
【００３０】
空気抜き部４は、先端に空気抜き穴４ａが設けられた略円筒状に形成され、基部１１の外周面に基部１１の内径部と連通して設けられている。そして、空気抜き部４は、図２に示すように、ケース本体１内部の空気を抜く時、または、抜いた後にケース本体１内に空気が入り込むことを防止するためのゴム製の弁５が、その内径部に設けられている。
【００３１】
そして、傾斜センサＡは、空気抜き部４よりケース本体１内部の空気が抜かれ、内部が略真空となった後、空気抜き穴４ａが溶着によって封止される。その際、空気抜き部４が設けられていることにより、ケース本体１内部の空気を容易に抜くことができ、生産性の向上を図ることができる。また、弁５が設けられていることで、ケース本体１内の空気を抜いている最中、または、抜いた後に、ケース本体１外部の空気が、ケース本体１内部へ逆流することを簡素的に防止することができる。更に、ケース本体１内部の空気が抜かれた後に、空気抜き穴４ａが溶着によって封止されることで、ケース本体内に空気が流入することを確実に防止することができる。
【００３２】
以上の構成からなる本実施形態の傾斜センサＡは、ケース本体１内部が略真空状態に保たれるため、ケース本体１内部はケース本体１外部の温度変化の影響を受け難い。従って、外気の温度が変化した場合に、ケース本体１内部に存在する移動体２が、外気の温度変化の影響を受けることを抑制でき、移動体２が膨張または伸縮することを防止することができる。また、ケース本体１内部はケース本体１外部の温度変化の影響を受け難いことから、ケース本体１が歪むことも抑制することができる。
【００３３】
従って、外気の温度が大きく変化した状態であっても、対象物の傾きがθ１以上傾いた場合、若しくは対象物の傾きがθ２以下となった場合に、移動体２は、ケース本体１内部をスムーズに変位することができ、傾斜センサＡは安定した傾き検知を行うことができる。
【００３４】
また、ケース本体１内部に収納されている移動体２が、ケース本体１外部の空気の温度変化の影響を受けることを抑制でき、移動体２の透磁率μが略一定に保たれる。よって、移動体２が延設部１２内に存在している時に、コイル３のインピーダンスＺが、ケース本体１外部の空気の温度変化の影響を受けることを抑制することができる。
【００３５】
更に、ケース本体１内部が、略真空状態に保たれているため、移動体２が変位する際に生じるケース本体１と移動体２との衝突音が、ケース本体１内では発生せず、衝突部から直接ケース本体１を介して外部に発生する音のみとなることから、ケース本体１全体から衝突音が発生する場合に比べて、移動体２の衝突音を抑制することができる。
【００３６】
従って、本実施形態における傾斜センサＡでは、ケース本体１内部が略真空状態に保たれることによって、外気の温度変化の影響を軽減して、安定した傾き検知が行え、且つ、移動体２の衝突音の発生を抑制することができる。
【００３７】
なお、本実施形態では、移動体２を略球状としているが形状はこれに限定されず、略円柱状等であってもよく、ケース本体１の形状についても内部を移動体２が変位可能な形状に形成されていればよいものとする。
【００３８】
また、θ１、θ２は、それぞれθ１＝５５度、θ２＝５２度に設定されているが、この角度に限定されるものではない。
【符号の説明】
【００３９】
１  ケース本体
２  移動体
３  コイル
４  空気抜き部
４ａ  空気抜き穴
５  弁
１１  基部
１２  延設部
【図１】
2010192324.tif 000003
【図２】
2010192324.tif 000004
【図３】
2010192324.tif 000005
【図４】
2010192324.tif 000006
【図５】
2010192324.tif 000007